(57)【特許請求の範囲】
【請求項１】
管状物品に電気めっきを行うときに、該管状物品の内面に電気めっきを施すために上記管状物品の内部に挿入されて使用される補助電極において、
該補助電極は、線状の可撓性を有する導電体で形成される補助陽極と、該補助陽極に巻き付けられる補助電極スペーサから構成され、
該補助電極スペーサは、非導電性のスペーサ突起部と、複数の該スペーサ突起部を間隔を置いて長手方向に連続して紐状に連結する可撓性のスペーサ連結部から長尺状に形成され、上記スペーサ突起部は、上記スペーサ連結部よりも外径が大きく形成されるとともに、円柱形状又は多角柱形状になるように形成され、上記補助電極は、複数の上記補助電極スペーサが、上記補助陽極の周囲に上記スペーサ連結部同士が重なるように巻き付けられるとともに、上記管状物品の内部に上記補助電極が挿入されたときに、上記補助陽極が上記管状物品の内面に接触しないで、且つ上記スペーサ突起部同士が重なり合わない密度で巻き付けられることを特徴とする長尺物の内面めっき用の補助電極。
【請求項２】
上記スペーサ突起部は、長手方向に対して直角の断面形状が円形である請求項１に記載の長尺物の内面めっき用の補助電極。
【請求項３】
上記スペーサ突起部は、長手方向に対して直角の断面形状が多角形である請求項１に記載の長尺物の内面めっき用の補助電極。
【請求項４】
上記スペーサ突起部は、外周面が長手方向に平坦である請求項１乃至請求項３のいずれか１項に記載の長尺物の内面めっき用の補助電極。
【請求項５】
上記スペーサ突起部は、外周面に複数の凹部が形成された請求項１乃至請求項３のいずれか１項に記載の長尺物の内面めっき用の補助電極。
【請求項６】
上記スペーサ突起部は、長手方向に対して直角の断面形状が長手方向に略同じように形成されるとともに、両側の端部では、角部が丸くなるように形成された請求項１乃至請求項５のいずれか１項に記載の長尺物の内面めっき用の補助電極。
【請求項７】
上記スペーサ突起部は、非導電性の合成樹脂又はセラミックで形成され、上記スペーサ連結部は非導電性の合成繊維又は合成樹脂で形成され、上記スペーサ突起部に形成されたスペーサ突起部孔に上記スペーサ連結部が嵌挿され、上記スペーサ突起部を間隔を置いて連結した請求項１乃至請求項６のいずれか１項に記載の長尺物の内面めっき用の補助電極。
【請求項８】
上記スペーサ突起部と上記スペーサ連結部は非導電性の合成樹脂で一体的に形成された請求項１乃至請求項６のいずれか１項に記載の長尺物の内面めっき用の補助電極。
【請求項９】
上記補助陽極は、金属製の多数のワイヤーを編んで形成された請求項１乃至請求項６のいずれか１項に記載の長尺物の内面めっき用の補助電極。
【発明の詳細な説明】
【技術分野】
【０００１】
本発明は、管状物品の内面に電気めっきを施すために使用される内面めっき用の補助電極に関するものである。特に、屈曲した管状物、例えば自動車のフィラーパイプ等の内面に電気めっきを施すために管状物品の内部に挿入されて使用される内面めっき用の補助電極に関するものである。
【背景技術】
【０００２】
従来、金属製の物品に電気めっきを施すには、めっき槽内のめっき液に電極と被めっき物を浸漬して、電極を陽極、被めっき物を陰極にしてその間に通電して、めっき液中のイオン化した金属を被めっき物に析出させ、めっきを行っていた。
しかしながら、長尺の管状物品の内面側では、電気の流れが悪く、管状物品の内面へのめっき金属の析出状態はよくなかった。
【０００３】
そのため、図１４に示すように、中空状の被めっき物１２０の内部に補助陽極１１０を挿入し、補助陽極１１０をスペーサ１１１でカバーして補助陽極１１０が被めっき物１２０に接触しないようにするものがある。スペーサ１１１は、めっき液が補助陽極１１０と被めっき物１２０の内面との間で流通し、電流が流れるように孔１１２が多数設けられている（例えば、特許文献１参照。）。
【０００４】
しかしながら、この場合には、被めっき物１２０は直線状に形成されたものを対象としており、複雑に屈曲し、内面に突起等を有する被めっき物１２０は、スペーサ１１１の孔１１２やその周囲の突起に引っかかり、補助陽極１１０とスペーサ１１１の挿入と、取出しがスムースにできなかった。
【０００５】
また、図１５と図１６に示すように、中空状の被めっき物２２０の内部に補助陽極２１０を挿入し、補助陽極２１０を複数個の筒体２１１でカバーして補助陽極２１０が被めっき物２２０に接触しないようにするものがある（例えば、特許文献２参照。）。この補助陽極２１０は柔軟性を有し、多数の筒体２１１を隙間なく補助陽極２１０に被せて、多数の筒体２１１が相互に曲がることにより、補助陽極２１０が屈曲可能に形成されている。
【０００６】
この筒体２１１は、図１５に示すように、４枚の枠板２１４と、枠板２１４の間の開口２１２が周面に形成され、筒体２１１の両端は板状の端部２１３が形成され、枠板２１４を保持している。開口２１２によりめっき液が補助陽極２１０に接するように出入することができ、端部２１３の中心には孔が形成され、孔に補助陽極２１０が挿入されている。枠板２１４の先端が中空状の被めっき物２２０の内面と接触し、補助陽極２１０を被めっき物２２０の内部の中心位置に保持している。端部２１３は、隣接する筒体２１１の端部２１３と当接し、筒体２１１は互いに屈曲可能に補助陽極２１０に取付けられているため、補助陽極２１０は、被めっき物２２０の屈曲に対応して屈曲することができる。
【０００７】
しかしながら、この場合には、中空状の被めっき物２２０の内面との接触面積を減らすためと、補助陽極２１０付近のめっき液の循環を良くするために、枠板２１４の肉厚を薄く形成しているため、枠板２１４が変形し易い。枠板２１４が変形すると、筒体２１１の内部で補助陽極２１０の位置が所定位置からずれて、被めっき物２２０の内面のめっきの付き具合いがばらつくことになる。
【０００８】
また、枠板２１４の先端部分は、薄肉で形成されているため、図１６に示すように、屈曲した被めっき物２２０であるフィラーパイプに挿入された場合には、枠板２１４の先端部分が磨耗しやすく、磨耗した枠板２１４の粉末がめっき液中に浮遊して、被めっき物２２０のめっき表面に付着したり、めっき膜に巻き込まれたりして、表面状態に問題が生じることがある。
【０００９】
さらに、図１７に示すように、補助電極スペーサ３１２として、長手方向の断面形状が楕円形で両端が細くなったスペーサ球状部３１４を紐状のスペーサ連結部３１３で連結するものがある（例えば、特許文献３参照。）。
この補助電極スペーサ３１２を製造する場合には、紐状のスペーサ連結部３１３を、スペーサ球状部３１４を形成するキャビティーが設けられた成形金型にセットして、そのキャビティーに合成樹脂を注入する
【００１０】
そうすると、図１８に示すように、スペーサ球状部３１４を形成する合成樹脂が成形金型内で固化するときに、中心部分であるスペーサ連結部３１３に向けて収縮するが、その収縮力は、スペーサ球状部３１４の両端の肉厚の薄い部分では小さくなる。図１８における矢印は、収縮力の大きさをその長さで示した模式図である。
【００１１】
そのため、補助電極スペーサ３１２を成形した後では、図１９に示すように、スペーサ球状部３１４の両端では、隙間３１５が生じることとなる。
そのため、スペーサ球状部３１４がスペーサ連結部３１３からずれやすくなったり、めっき液に浸漬したときに、隙間３１５にめっき液が溜まりやすくなったりして、めっき液が外部に排出されこととなる。
さらに、隙間３１５に被めっき物のエッジ部分が引っ掛かり、補助陽極を被めっき物の内部に挿入あるいは取り出す作業に手間がかかることとなる。
【先行技術文献】
【特許文献】
【００１２】
【特許文献１】特開２００７−３９７７９号公報
【特許文献２】特許第３０８１５５８号公報
【特許文献３】特開２０１１−２３６５００号公報
【発明の概要】
【発明が解決しようとする課題】
【００１３】
そのため、本発明は、屈曲した管状物品にも挿入が容易で、めっき液の消耗が少なく、管状物品の内面のめっきを良好に行うことのできる補助電極を提供することを課題とする。
【課題を解決するための手段】
【００１４】
上記課題を解決するための請求項１の本発明は、管状物品に電気めっきを行うときに、管状物品の内面に電気めっきを施すために管状物品の内部に挿入されて使用される補助電極において、
補助電極は、線状の可撓性を有する導電体で形成される補助陽極と、補助陽極に巻き付けられる補助電極スペーサから構成され、
補助電極スペーサは、非導電性のスペーサ突起部と、複数のスペーサ突起部を、間隔を置いて長手方向に連続して紐状に連結する可撓性のスペーサ連結部から長尺状に形成され、スペーサ突起部は、スペーサ連結部よりも外径が大きく形成されるとともに、円柱形状又は多角柱形状になるように形成され、補助電極は、複数の補助電極スペーサが、補助陽極の周囲にスペーサ連結部同士が重なるように巻き付けられるとともに、管状物品の内部に補助電極が挿入されたときに、補助陽極が管状物品の内面に接触しないで、且つスペーサ突起部同士が重なり合わない密度で巻き付けられることを特徴とする長尺物の内面めっき用の補助電極である。
【００１５】
請求項１の本発明では、補助電極は、線状の可撓性を有する導電体で形成される補助陽極と、補助陽極に巻き付けられる補助電極スペーサから構成されるため、屈曲部を有する管状物品の内部に挿入して、管状物品の形状に応じて補助電極を沿わせることができ、補助電極スペーサは補助陽極が管状物品の内面に接触することを防止して、管状物品の内面に確実にめっきを施すことができる。
【００１６】
補助電極スペーサは、非導電性のスペーサ突起部と、複数のスペーサ突起部を、間隔を置いて長手方向に連続して紐状に連結する可撓性のスペーサ連結部から長尺状に形成される。このため、補助電極が管状物品の内部に挿入されたときに、非導電性のスペーサ突起部が管状物品の内面に当接して、補助陽極が管状物品の内面に接触することを防止するとともに、スペーサ突起部の表面が管状物品の内面に対して摺動しやすく、補助電極を管状物品に挿入と引き抜きをする作業が容易である。
【００１７】
スペーサ突起部は、スペーサ連結部よりも外径が大きく形成されるとともに、円柱形状又は多角柱形状になるように形成される。このため、補助電極スペーサを製造するときに、紐状のスペーサ連結部を成形金型にセットして、そのキャビティーに合成樹脂を注入するが、スペーサ突起部を形成する合成樹脂が成形金型内で固化するときに、スペーサ突起部の収縮が略均一であり、スペーサ突起部がスペーサ連結部に均一に確実に固定されるとともに、スペーサ突起部の両端においても、スペーサ連結部との間に隙間が生じることがない。
【００１８】
そのため、スペーサ突起部がスペーサ連結部からずれることがなく、補助電極スペーサをめっき液に浸漬したときに、めっき液が溜まる部分がないため、めっき液が補助電極について外部に排出されことがない。また、補助電極スペーサが被めっき物のエッジ部分に引っ掛かることがなく、補助陽極を被めっき物の内部に挿入あるいは取り出す作業が容易である。
【００１９】
補助電極は、複数の補助電極スペーサが、補助陽極の周囲にスペーサ連結部同士が重なるように巻き付けられるため、スペーサ連結部同士が網目状に重なり合って、スペーサ球状部がその重なりを乗り越えて移動することがなく、補助電極の挿入時に大きくずれないようにすることができ、スペーサ球状部を所定の間隔で保持して、補助陽極が管状物品の内面に接触しないようにすることができる。
【００２０】
管状物品の内部に補助電極が挿入されたときに、補助陽極が管状物品の内面に接触しないで、且つスペーサ球状部同士が重なり合わない密度で巻き付けられる。このため、スペーサ球状部が外方に突出して、補助電極の外形の一部が突出することがなく、補助電極の可撓性を維持して、補助電極を管状物品の内部に挿入しやすくし、補助陽極が管状物品の内面に接触しないようにすることができる。
【００２１】
請求項２の本発明は、スペーサ突起部は、長手方向に対して直角の断面形状が円形である長尺物の内面めっき用の補助電極である。
【００２２】
請求項２の本発明では、スペーサ突起部は、長手方向に対して直角の断面形状が円形であるため、スペーサ突起部を成形しやすく、管状物品の内部に補助電極が挿入されたときに、補助陽極が管状物品の内面に接触したときでも、管状物品の内面を滑りやすく、補助電極を管状物品の内部に挿入しやすく、取出しやすい。
【００２３】
請求項３の本発明は、スペーサ突起部は、長手方向に対して直角の断面形状が多角形である長尺物の内面めっき用の補助電極である。
【００２４】
請求項３の本発明では、スペーサ突起部は、長手方向に対して直角の断面形状が多角形であるため、管状物品の内部に補助電極が挿入されたときに、補助陽極が管状物品の内面に接触したときでも、多角形の角部分が管状物品の内面に接触する面積が少なく、管状物品の内面のめっきがムラなく行うことができるとともに、管状物品の内面を滑りやすく、補助電極を管状物品の内部に挿入しやすく、取出しやすい。
なお、多角形には、三角形、四角形、五角形等のものを含むものである。
【００２５】
請求項４の本発明は、スペーサ突起部は、外周面が長手方向に平坦である長尺物の内面めっき用の補助電極である。
【００２６】
請求項４の本発明では、スペーサ突起部は、外周面が長手方向に平坦であるため、管状物品の内部に補助電極が挿入されたときに、補助陽極が管状物品の内面に接触したときでも、長手方向に凹凸がないため、管状物品の内面を滑りやすく、補助電極を管状物品の内部に挿入しやすく、取出しやすい。
【００２７】
請求項５の本発明は、スペーサ突起部は、外周面に複数の凹部が形成された長尺物の内面めっき用の補助電極である。
【００２８】
請求項５の本発明では、スペーサ突起部は、外周面に複数の凹部が形成されたため、凹部が溝の場合には、スペーサ突起部の表面部分のめっき液の流れがよく、凹部が円形等の凹みである場合には、管状物品の内面にスペーサ突起部が接触する面積が少なく、管状物品の内面のめっきがムラなく行うことができる。
【００２９】
請求項６の本発明は、スペーサ突起部は、長手方向に対して直角の断面形状が長手方向に略同じように形成されるとともに、両側の端部では、角部が丸くなるように形成された長尺物の内面めっき用の補助電極である。
【００３０】
請求項６の本発明では、スペーサ突起部は、長手方向に対して直角の断面形状が長手方向に略同じように形成されるとともに、両側の端部では、角部が丸くなるように形成された。このため、管状物品の内部に補助電極が挿入されたときに、スペーサ突起部が管状物品の内面に接触したときでも、スペーサ突起部のコーナー部の丸くなった角部が管状物品の内面を滑りやすく、補助電極を管状物品の内部に挿入しやすく、取出しやすい。
【００３１】
請求項７の本発明は、スペーサ突起部は、非導電性の合成樹脂又はセラミックで形成され、スペーサ連結部は非導電性の合成繊維又は合成樹脂で形成され、スペーサ突起部に形成されたスペーサ突起部孔にスペーサ連結部が嵌挿され、スペーサ突起部を、間隔を置いて連結した長尺物の内面めっき用の補助電極である。
【００３２】
請求項７の本発明では、スペーサ突起部は、非導電性の合成樹脂又はセラミックで形成されるため、管状物品の内面に接触しても摩擦が少なく挿入性に優れるとともに、めっき液に浸漬しても腐食することが少なく、耐久性に優れている。
スペーサ連結部は非導電性の合成繊維又は合成樹脂で形成されているため、可撓性に優れ、補助陽極に巻き付けることが容易であり、めっき液に浸漬しても強度が低下することが少なく、耐久性に優れている。
【００３３】
請求項８の本発明は、スペーサ突起部とスペーサ連結部は非導電性の合成樹脂で一体的に形成された長尺物の内面めっき用の補助電極である。
【００３４】
請求項８の本発明では、スペーサ突起部とスペーサ連結部は非導電性の合成樹脂で一体的に形成されたため、１回の成形工程で製造でき、製造が容易であり、コストも低下させることができる。
【００３５】
請求項９の本発明は、補助陽極は、金属製の多数のワイヤーを編んで形成された長尺物の内面めっき用の補助電極である。
【００３６】
請求項９の本発明では、補助陽極は、金属製の多数のワイヤーを編んで形成されたため、可撓性と強度に優れ、管状物品の内部に補助電極を挿入するときに一方の端から挿入して他方の端まで押し込むことが容易である。
【発明の効果】
【００３７】
スペーサ突起部は、スペーサ連結部よりも外径が大きく形成されるとともに、長手方向に対して直角の断面形状が長手方向に略同じように形成されるため、補助電極スペーサを製造するときに、スペーサ突起部を形成する合成樹脂が成形金型内で固化するときに、スペーサ突起部の収縮が略均一であり、スペーサ突起部がスペーサ連結部に均一に確実に固定されるとともに、スペーサ突起部の両端においても、スペーサ連結部との間に隙間が生じることがない。
【００３８】
そのため、スペーサ突起部がスペーサ連結部からずれることがなく、補助電極スペーサをめっき液に浸漬したときに、めっき液が溜まる部分がないため、めっき液が補助電極について外部に排出されことがない。また、補助電極スペーサが被めっき物のエッジ部分に引っ掛かることがなく、補助陽極を被めっき物の内部に挿入あるいは取り出す作業が容易である。
【図面の簡単な説明】
【００３９】
【図１】本発明の実施の形態で使用するめっき装置の概念図である。
【図２】本発明の実施の形態で使用するめっきハンガーの側面図である。
【図３】本発明の実施の形態である補助電極を管状物品の内部に使用した状態の断面図である。
【図４】本発明の実施の形態である補助電極の一部拡大平面図である。
【図５】本発明の実施の第１の形態である補助電極の補助電極スペーサの一部拡大正面図である。（a）は、補助電極スペーサの正面図であり、（ｂ）は、（a）のＡ―Ａ線に沿った断面図である。
【図６】本発明の実施の第１の形態である補助電極の補助電極スペーサを成形したときにスペーサ突起部が収縮する度合いを示す模式図である。
【図７】本発明の実施の第１の形態である補助電極の補助電極スペーサの一部拡大正面図であり、補助電極スペーサの表面に長手方向に対して斜めに溝を形成した一部拡大正面図である。
【図８】本発明の実施の第１の形態である補助電極の補助電極スペーサの一部拡大正面図であり、補助電極スペーサの表面に幅方向に溝を形成した一部拡大正面図である。
【図９】本発明の実施の第１の形態である補助電極の補助電極スペーサの一部拡大正面図であり、補助電極スペーサの表面に複数の円形の凹部を形成した一部拡大正面図である。
【図１０】本発明の実施の第１の形態である補助電極の補助電極スペーサの一部拡大正面図であり、補助電極スペーサの中心から外れて下部に補助電極スペーサ連結部を取付けた一部拡大正面図である。
【図１１】本発明の実施の第２の形態である補助電極の補助電極スペーサの一部拡大正面図である。（a）は、補助電極スペーサの正面図であり、（ｂ）は、（a）のＢ―Ｂ線に沿った断面図である。
【図１２】本発明の実施の第３の形態である補助電極の補助電極スペーサの一部拡大正面図である。（a）は、補助電極スペーサの正面図であり、（ｂ）は、（a）のＣ―Ｃ線に沿った断面図である。
【図１３】本発明の実施の第４の形態である補助電極の補助電極スペーサの一部拡大正面図である。（a）は、補助電極スペーサの正面図であり、（ｂ）は、（a）のＤ―Ｄ線に沿った断面図である。
【図１４】従来の補助電極の使用状態を示す断面図である。
【図１５】従来の他の補助電極に使用される筒体の斜視図である。
【図１６】従来の他の補助電極の使用状態を示す断面図である。
【図１７】従来の他の補助電極の補助電極スペーサの一部拡大平面図である。
【図１８】従来の他の補助電極の補助電極スペーサを成形したときにスペーサ突起部が収縮する度合いを示す模式図である。
【図１９】従来の他の補助電極の補助電極スペーサの一部拡大断面図である。
【発明を実施するための形態】
【００４０】
本発明の実施の形態について、管状物品である自動車用のフィラーパイプ２０の内面に亜鉛めっきをする場合を例に取り、そのめっきに使用する補助電極１０とめっきについて、図１〜図１３に基づき説明する。
なお、本発明の補助電極１０は、管状物品の内面にめっきをする場合に広く使用することができる。また、亜鉛めっき以外の他のめっきにも使用することができる。
【００４１】
フィラーパイプ２０等の管状物品は、図１に示すように行われる。
めっき槽１内にめっき液２が入れられて、めっき液２内には水酸化ナトリウム及びシアン化ナトリウムと亜鉛イオンが含まれている。さらに、めっき槽１内には亜鉛板で形成される陽電極３、４が挿入され、被めっき物であるフィラーパイプ２０の内部には補助電極１０が挿入されている。補助電極１０については後述する。
なお、フィラーパイプ２０は、めっき工程の前に、脱脂工程、洗浄工程により表面を清浄にされる。
【００４２】
陽電極３、４には、陽極リード線５が取り付けられ、補助電極１０には補助陽極リード線６が取り付けられている。フィラーパイプ２０には陰極リード線７が取り付けられている。陽極リード線５と補助陽極リード線６はめっき電流の供給装置（図示せず）の陽極に、陰極リード線７はめっき電流の供給装置の陰極に接続されて、供給装置から電流が供給されてめっきが行われる。
【００４３】
このとき、フィラーパイプ２０はめっき槽１内に並んで多数浸漬されて、めっきが行われるが、めっき槽１内のフィラーパイプ２０の保持は図２に示すように行われる。
フィラーパイプ２０は、めっきハンガー３０に取り付けられてめっき槽１内に浸漬される。めっきハンガー３０は、陰極板３１と陽極板３５から構成され、陰極板３１と陽極板３５は中央付近で相互に絶縁されて接合されている。
【００４４】
陰極板３１の上方の先端は、断面略Ｕ字形に曲げられて陰極板係合部３２を形成している。陰極板係合部３２は、めっき槽１に設けられた陰極バー８に係合され、めっきハンガー３０とフィラーパイプ２０は、めっき槽１内に保持される。陰極バー８には供給装置から陰極電流が供給され、めっきハンガー３０の陰極板３１と電気的に接続される。
【００４５】
陰極板３１の下方の先端には陰極板保持部３３が形成され、管状物品であるフィラーパイプ２０が保持される。陰極板保持部３３は、フィラーパイプ２０を保持するとともに、フィラーパイプ２０に陰極電流を供給し、フィラーパイプ２０の外周面部と内面（フィラーパイプ内面２１）を電気めっきすることができる。
フィラーパイプ２０の保持は、開口部を有するリング状に形成された陰極板保持部３３に嵌め込んで保持したり、フィラーパイプ２０の外面に形成されたブリーザーパイプ等に引っ掛けたりしてもよい。
【００４６】
陽極板３５の上方の先端は、陽極板接続部３６を形成し、陽極板接続部３６を介して供給装置から陽極電流が供給される。陽極板３５の下方の先端は、陽極板端部３７が形成され、陽極板端部３７には、後述する補助電極１０の先端に形成される補助陽極端部１５が補助電極止め具１６に取りつけられる。これにより、陽極板３５から陽電流が補助電極１０に供給される。
【００４７】
次に、第１の実施の形態について、補助電極１０とフィラーパイプ２０について、図３〜図１０に基づき説明する。
フィラーパイプ２０は、図３に示すように、フィラーパイプ内面２１の上部に燃料を注入する注入部２２が設けられ、下方には自動車の車体の形状に沿って、屈曲部２３が２箇所形成されている。屈曲部２３の数は、自動車の車体に形状に応じて変化する。注入部２２は燃料注入ガン（図示せず）を保持するために内部に張出した注入張出部２４が形成され、注入張出部２４の中央には注入口２５が形成されている。
【００４８】
補助電極１０は、図４に示すように、線状の可撓性を有する導電体で形成される補助陽極１１と、補助陽極１１に巻き付けられる複数本の補助電極スペーサ１２から構成される。
補助陽極１１は、ステンレススチール等の金属製の多数のワイヤーを編んで形成される。このため、可撓性と強度に優れ、管状物品であるフィラーパイプ２０の内部に補助電極１０を挿入するときに注入部２２から挿入して、屈曲部２３が複数個存在しても、フィラーパイプ２０の形状に応じて、フィラーパイプ内面２１に沿って、他方の出口端まで押し込むことが容易である。また、めっき液２のアルカリ性にも耐久性を有することができる。
【００４９】
補助陽極１１は、金属製の多数のワイヤー以外でも、可撓性と導電性を有するものであれば使用することができる。
なお、補助陽極１１の上側の先端には、図２に示すように、補助陽極端部１５が形成され、補助陽極端部１５には、貫通孔が形成され、この貫通孔に補助陽極止め具１６が挿入され、陽極板端部３７の孔にネジ、クリップ等で取り付けられる。
【００５０】
補助電極スペーサ１２は、非導電性のスペーサ突起部１４と複数のスペーサ突起部１４を、間隔を置いて長手方向に連続して紐状に連結する可撓性のスペーサ連結部１３から長尺状に形成される
このため、スペーサ突起部１４が可撓性を有しなくても、補助電極スペーサ１２全体を可撓性にすることができ、補助陽極１１の外周に複数本の長尺状の補助電極スペーサ１２を巻きつけることができる。そして、補助電極スペーサ１２は、補助陽極１１がフィラーパイプ２０の内面に接触することを防止して、フィラーパイプ２０の内面に確実にめっきを施すことができる。
【００５１】
補助電極スペーサ１２のスペーサ突起部１４は、第１の実施の形態では、図５に示すように、円筒状のスペーサ突起部１４である。図５（a）は、補助電極スペーサ１２の正面図であり、（ｂ）は、図５（a）のＡ―Ａ線に沿ったスペーサ突起部１４の断面図である。
スペーサ突起部１４は、補助電極１０がフィラーパイプ２０の内部に挿入されたときに、屈曲部があっても非導電性で円柱状のスペーサ突起部１４がフィラーパイプ内面２１に当接して、補助陽極１１がフィラーパイプ内面２１に接触することを防止することができる。このため、補助電極１０により確実にフィラーパイプ内面２１の電気めっきをすることができる。
【００５２】
スペーサ突起部１４は、非導電性の合成樹脂又はセラミックで形成されることが好ましい。例えば、合成樹脂では、ポリアセタール、ポリエチレン、ポリプロピレン、ナイロン等を使用することができる。合成樹脂又はセラミックを使用することができるためフィラーパイプ内面２１に接触しても摩擦が少なく挿入性に優れるとともに、めっき液２に浸漬しても腐食することが少なく、耐久性に優れている。
【００５３】
補助電極スペーサ１２のスペーサ突起部１４は、図５に示すように、スペーサ突起部１４の中心にスペーサ突起部孔１７が形成される。スペーサ突起部孔１７に紐状のスペーサ連結部１３が貫通し、スペーサ突起部１４を、それぞれ間隔を置いて長手方向に連続してスペーサ連結部１３により紐状に連結する。
【００５４】
このため、スペーサ突起部１４が可撓性を有しなくても、補助電極スペーサ１２全体を可撓性にして、補助陽極１１の外周に長尺状の補助電極スペーサ１２を巻きつけることができ、スペーサ突起部１４を補助陽極１１の所定の位置に保持することができる。また、スペーサ突起部１４がフィラーパイプ内面２１に所定の間隔をおいて、当接することができる。
【００５５】
スペーサ連結部１３が貫通するスペーサ突起部孔１７は、スペーサ突起部１４の中心部ではなく、中心部を外して形成することもできる。例えば、図１０に示すように、スペーサ連結部１３をスペーサ突起部１４の下部に位置するように形成することができる。この場合には、中心部からずれた分だけ、スペーサ連結部１３の直径を太くすることができ、補助電極スペーサ１２の耐久性を向上させることができる。
【００５６】
スペーサ連結部１３は、非導電性の合成繊維又は合成樹脂で形成されている。例えば、合成繊維ではナイロン、ポリエステル等を使用することができ、合成樹脂ではポリエチレン、ポリプロピレン等を使用することができる。このため、可撓性に優れ、補助電極スペーサ１２を補助陽極１１に容易に巻き付けることができ、引張強度が強く、めっき液に浸漬しても強度が低下することが少なく、耐久性に優れている。
また、スペーサ突起部１４とスペーサ連結部１３を異なる材質のもので製造することができるため、スペーサ突起部１４は硬度が大きく、フィラーパイプ内面２１をスムースに摺動する材料を、スペーサ連結部１３は可撓性に優れた材料を、それぞれに選択することができる。そのため、摺動性と可撓性に優れた補助陽極１１を得ることができる。
【００５７】
図４に示すように、補助陽極１１の外周には、複数の補助電極スペーサ１２が、スペーサ連結部１３同士が重なるように巻き付けられる第１の実施の形態では、２本の補助電極１０が網目状に重なるように巻き付けられて、スペーサ連結部１３同士が網目状に重なり合っている。
【００５８】
補助電極スペーサ１２を補助陽極１１に巻き付けた時に、スペーサ連結部１３同士が網目状に重なり合っており、スペーサ突起部１４がその重なりを乗り越えて移動することがなく、スペーサ突起部１４が大きくずれないようにすることができる。そのため、スペーサ突起部１４を所定の間隔で保持して、補助陽極１１が管状物品の内面に接触しないようにすることができる。
そして、補助電極１０をフィラーパイプ２０に挿入するときに、スペーサ突起部１４がフィラーパイプ内面２１と接触しても、スペーサ突起部１４を補助陽極１１の表面に所定の間隔で保持して、補助陽極１１がフィラーパイプ内面２１に接触しないようにすることができる。
【００５９】
なお、補助陽極１１に補助電極スペーサ１２を巻き付けるには、フィラーパイプ２０の内部に補助電極１０が挿入されたときに、補助陽極１１がフィラーパイプ内面２１に接触しないで、且つスペーサ突起部１４同士が重なり合わない密度で巻き付けられる。これによって、スペーサ突起部１４同士が重なって、スペーサ突起部１４が補助電極１０の径方向に突出して、補助電極１０の全体の外径を大きくすることがなく、補助電極１０の可撓性を維持して、補助電極１０をフィラーパイプ内面２１の内部に挿入しやすくし、補助陽極１１がフィラーパイプ内面２１に接触しないようにすることができる。
【００６０】
そして、スペーサ突起部１４は、スペーサ連結部１３よりも外径が大きく形成される。このため、スペーサ連結部１３よりも外周方向に突出することができる。そして、スペーサ突起部１４は、上述のように円筒状に形成される。従って、長手方向に対して直角の断面形状が長手方向に略同じように形成される。
【００６１】
そのため、スペーサ突起部１４は、スペーサ突起部外周面１９が長手方向に凹凸がなく平坦にすることができる。従って、管状物品であるフィラーパイプ２０の内部に補助電極１０が挿入されたときに、補助陽極１１がフィラーパイプ２０の内面に接触したときでも、スペーサ突起部外周面１９が長手方向に凹凸がないため、フィラーパイプ２０の内面を滑りやすく、補助電極１０をフィラーパイプ２０の内部に挿入しやすく、取出しやすい。
【００６２】
さらに、スペーサ突起部１４は、円筒状に形成されるため、補助電極スペーサ１２を製造するときに、紐状のスペーサ連結部１３を成形金型にセットして、そのキャビティーに合成樹脂を注入するが、図６に示すように、スペーサ突起部１４を形成する合成樹脂が成形金型内で固化するときに、スペーサ突起部１４の肉厚が略同じであるため、スペーサ突起部１４の収縮が略均一である。図６の矢印は、スペーサ突起部１４が収縮するときの収縮力の大きさを示した模式図であり、矢印の長さが、収縮力の大きさを示す。
【００６３】
そのため、スペーサ突起部１４がスペーサ連結部１３に均一に確実に固定されるとともに、スペーサ突起部１４の両端であるスペーサ突起部端部１４ａにおいても、スペーサ連結部１３との間に隙間が生じることがない。したがって、スペーサ突起部１４がスペーサ連結部１３からずれることがなく、補助電極スペーサ１２をめっき液に浸漬したときに、スペーサ突起部端部１４ａにめっき液が溜まる部分がないため、めっき液が補助電極１０について外部に排出されことがない。また、補助電極スペーサ１２のスペーサ突起部端部１４ａが被めっき物であるフィラーパイプ２０のエッジ部分に引っ掛かることがなく、補助電極１０をフィラーパイプ２０の内部に挿入あるいは取り出す作業が容易である。
【００６４】
本発明の第１の実施の形態では、スペーサ突起部１４は、両側の端部であるスペーサ突起部端部１４ａでは、コーナー部の角部が丸くなるように形成されている。このため、フィラーパイプ２０の内部に補助電極１０が挿入されたときに、スペーサ突起部１４がフィラーパイプ２０の内面に接触したときでも、スペーサ突起部１４のコーナー部の丸くなった角部がフィラーパイプ２０の内面を滑りやすく、補助電極１０をフィラーパイプ２０の内部に挿入しやすく、取出しやすい。
【００６５】
また、本実施の第１の形態では、補助電極スペーサ１２であるスペーサ突起部１４とスペーサ連結部１３は非導電性の合成樹脂で一体的に形成することができる。この非導電性の合成樹脂は、補助電極スペーサ１２を補助陽極１１にまきつけることが可能な可撓性を有するとともに、補助電極スペーサ１２をフィラーパイプ２０に挿入したときに、スペーサ突起部１４がフィラーパイプ内面２１を容易に摺動可能な強度を有している。この場合は、１回の型成形又は押出成形で形成することができ、製造が容易であり、コストも低下させることができる。
なお、補助電極スペーサ１２であるスペーサ突起部１４の大きさは、上記の第１の実施の形態と同様である。
【００６６】
また、図７に示すように、補助電極スペーサ１２のスペーサ突起部１４の表面に長手方向に対して斜めに凹部である斜溝１４ｂを形成することができる。この斜溝１４ｂは、筋状に複数個形成することができるが、この斜溝１４ｂにより、スペーサ突起部１４の表面のめっき液の流れをスムースにすることができる。
【００６７】
また、図８に示すように、補助電極スペーサ１２のスペーサ突起部１４の表面に幅方向に凹部である縦溝１４ｃを形成することができる。この縦溝１４ｃは、斜溝１４ｂと同様に、筋状に複数個形成することができるが、この縦溝１４ｃにより、補助電極１１との間の摩擦力を大きくして、スペーサ突起部１４のずれを防止できる。
【００６８】
さらに、図９に示すように、補助電極スペーサ１２のスペーサ突起部１４の表面に凹部である複数の円形凹部１４ｄを形成することができる。この円形凹部１４ｄは、円形でなくとも、楕円形、多角形等の形状にすることができる。この円形凹部１４ｄにより、フィラーパイプ２０の内面にスペーサ突起部１４が接触する面積が少なく、フィラーパイプ２０の内面のめっきがムラなく行うことができる。
【００６９】
本発明の第２の実施の形態を図１１に示す。第２の実施の形態は、第１の実施の形態とは、スペーサ突起部端部１４ａの形状が異なり、他の部分は同様である。したがって、異なる部分について説明し、同様な部分についての説明を省略する。図１１（a）は、補助電極スペーサ１２の正面図であり、（ｂ）は、図１１（a）のＢ―Ｂ線に沿ったスペーサ突起部１４の断面図である。
【００７０】
第２の実施の形態では、スペーサ突起部端部１４ａの角部が丸くではなく、断面略直角に形成されている。スペーサ突起部端部１４ａの角部が断面略直角に形成されているため、スペーサ突起部１４を形成する合成樹脂が成形金型内で固化するときに、スペーサ突起部１４の収縮が端部まで均一にすることができ、より一層、スペーサ突起部１４とスペーサ連結部１３の結合力を強くすることができ、スペーサ突起部１４とスペーサ連結部１３の隙間の形成がない。なお、第２〜４の実施の形態においても、第１の実施の形態と同様に、スペーサ突起部１４の表面に図７〜図９に示すような凹部を形成することができる。
【００７１】
本発明の第３の実施の形態を図１２に示す。第３の実施の形態は、第１の実施の形態とは、スペーサ突起部１４の形状が異なり、他の部分は同様である。したがって、異なる部分について説明し、同様な部分についての説明を省略する。図１２（a）は、補助電極スペーサ１２の正面図であり、（ｂ）は、図１２（a）のＣ―Ｃ線に沿ったスペーサ突起部１４の断面図である。
【００７２】
本発明の第３の実施の形態では、スペーサ突起部１４は、断面形状が正方形である、四角柱形状である。このため、管状物品であるフィラーパイプ２０の内部に補助電極１０が挿入されたときに、補助陽極１１のスペーサ突起部１４がフィラーパイプ２０の内面に接触したときでも、正方形の角部分がフィラーパイプ２０の内面に接触する面積が少なく、フィラーパイプ２０の内面のめっきがムラなく行うことができるとともに、フィラーパイプ２０の内面を滑りやすく、補助電極１０をフィラーパイプ２０の内部に挿入しやすく、取出しやすい。なお、第３の実施の形態では、図１２において、スペーサ突起部１４は、断面形状が正方形である、四角柱形状を示したが、断面形状が三角形、５角形或いは６角形以上の多角形でもよい。
【００７３】
本発明の第４の実施の形態を図１３に示す。第４の実施の形態は、第１の実施の形態とは、スペーサ突起部１４の形状が異なり、他の部分は同様である。したがって、異なる部分について説明し、同様な部分についての説明を省略する。図１３（a）は、補助電極スペーサ１２の正面図であり、（ｂ）は、図１３（a）のＤ―Ｄ線に沿ったスペーサ突起部１４の断面図である。
【００７４】
本発明の第４の実施の形態では、スペーサ突起部１４は、外周面に長手方向に延びる複数のスペーサ突起部溝部１８が形成されている。スペーサ突起部溝部１８は本実施の形態では４本形成されているが、他の本数でもよい。また、スペーサ突起部溝部１８が形成されたスペーサ突起部１４と形成されていないスペーサ突起部１４を交互に混ぜて使用することもできる。スペーサ突起部１４にスペーサ突起部溝部１８を形成したため、スペーサ突起部１４の表面の部分のめっき液の流れがよく、フィラーパイプ２０の内面にスペーサ突起部外周面１９が接触する面積が少なく、フィラーパイプ２０の内面のめっきがムラなく行うことができる。
【符号の説明】
【００７５】
１  めっき槽
２  めっき液
１０  補助電極
１１  補助陽極
１２  補助電極スペーサ
１３  スペーサ連結部
１４  スペーサ突起部
１５  スペーサ突起部端部
１６  スペーサ突起部外周面
１７  スペーサ突起部溝部
２０  フィラーパイプ（管状物品）
２１  フィラーパイプ内面
【図１】
0005846988.tif 000002
【図２】
0005846988.tif 000003
【図３】
0005846988.tif 000004
【図４】
0005846988.tif 000005
【図５】
0005846988.tif 000006
【図６】
0005846988.tif 000007
【図７】
0005846988.tif 000008
【図８】
0005846988.tif 000009
【図９】
0005846988.tif 000010
【図１０】
0005846988.tif 000011
【図１１】
0005846988.tif 000012
【図１２】
0005846988.tif 000013
【図１３】
0005846988.tif 000014
【図１４】
0005846988.tif 000015
【図１５】
0005846988.tif 000016
【図１６】
0005846988.tif 000017
【図１７】
0005846988.tif 000018
【図１８】
0005846988.tif 000019
【図１９】
0005846988.tif 000020